(57)【特許請求の範囲】
【請求項１】
入力側光ファイバ１２が移動して、複数の出力側光ファイバ１４の中の所定の出力側光ファイバ１４と突き合わせ接続することにより、光路を切り換えるタイプの供試光スイッチ１０の、接続損失を測定するに際し、
前記入力側光ファイバ１２を光源２０に接続し、また当該入力側光ファイバ１２と接続している出力側光ファイバ１４を光パワーメータ２２に接続して、光パワーを測定し、当該光パワーと供試光スイッチを接続していないときの光パワーである基準光パワーとの関係から、接続損失を測定する、光スイッチの接続損失測定方法において、
前記供試光スイッチ１０の他に、当該供試光スイッチ１０と同方式で、かつ予め、接続損失のデータが測定してあるマスター光スイッチ３０を用意し、
前記供試光スイッチ１０の出力側光ファイバ１４を、多心光コネクタであるＭＴ形光コネクタを複数用いて、前記マスター光スイッチ３０の出力側光ファイバ３４の、予め対応させた心線番号のものに多心一括接続し、
前記供試光スイッチ１０の入力側光ファイバ１２を光源２０に接続し、
前記マスター光スイッチ３０の入力側光ファイバ３２を光パワーメータ２２に接続し、
前記供試光スイッチ１０の入力側光ファイバ１２を所定の出力側光ファイバ１４の１本ずつに切り換え接続するに際し、前記マスター光スイッチ３０の入力側光ファイバ３２を、予め対応させた心線番号の出力側光ファイバ３４の１本ずつのそれぞれに順次同時に切り換え接続して、光パワーを測定することを特徴とする、光スイッチの接続損失測定方法。
【請求項２】
前記光源が２種類であり、前記供試光スイッチは、２種類の光源に対応して設けられた、２本の入力側光ファイバ１２、１３を具備し、
前記マスター光スイッチは、前記供試光スイッチと同じく２本設けられた入力側３２、３３を、それぞれ光パワーメータ２２に接続しておき、
前記供試光スイッチ１０のいずれか１本の入力側光ファイバ１２を所定の出力側光ファイバ１４に切り換え接続するに際し、前記マスター光スイッチ３０の入力側光ファイバ３２を、予め対応させた心線番号の出力側光ファイバ３４に切り換え接続して、光パワーを測定する、接続損失測定を、
供試光スイッチの２本の入力側光ファイバ１２、１３を２種類の光源に切り換え接続して、計４種の組み合わせについて行うことを特徴とする、請求項１記載の光スイッチの接続損失測定方法。
【発明の詳細な説明】
【０００１】
【発明の属する技術分野】
この発明は、光ファイバ移動型（機械式）光スイッチの、接続損失（挿入損失）測定方法に関するものである。
【０００２】
【従来の技術】
図３に測定系の基本的形態を、模型的に示す。
１０は供試（測定対象）光スイッチ（1x2スイッチ）で、１つの入力側光ファイバ１２（移動可能）と、２つの出力側光ファイバ１４（固定）を有する。
光路切り換えは、入力側光ファイバ１２が所定の出力側光ファイバ１４と対向する位置に移動して突き合わさることにより、行われる。光ファイバ先端の位置決めはＶ溝（図示せず）にて行われる。
なお、入力側光ファイバ１２の移動機構は、図示を省略した。本図以外の下記図４、図１，図２についても同様に省略した。
【０００３】
［測定手順］
▲１▼測定に先立ち、供試光スイッチ１０を接続していないときの光パワー（基準光パワー）を測定する（JIS C 5931の5.1の規定参照）。
【０００４】
▲２▼  次ぎに、入力側光ファイバ１２を、測定用光ファイバ２４，光コネクタ２６により、光源２０に接続する（図３（ａ））。
また当該入力側光ファイバ１２と接続している出力側光ファイバ１４を、同様に測定用光ファイバ２４，光コネクタ２６により、光パワーメータ２２に接続する。
▲３▼そして、光パワー測定し、上記の基準光パワーとの関係から、光ファイバ同士の接続損失を求める。
【０００５】
▲４▼次ぎに供試光スイッチ１０を切り換え（図３（ｂ））、入力側光ファイバ１２と新たに接続することになった出力側光ファイバ１４に、光パワーメータ２２をつなぎ替える。
そして、上記同様に、光パワーを測定し、接続損失を求める。
【０００６】
図４は、出力側光ファイバ１４の数が非常に多い（例えば800本）1x800スイッチの場合である。
出力側光ファイバ１４と光パワーメータ２２との接続に、多心光コネクタ２７（例えば8心用）と光ファイバテープ２５を用いる。
【０００７】
［測定手順］
この場合は、１つの多心光コネクタ２７に接続する出力側光ファイバ１４の全部の測定が終わったら、光パワーメータ２２を次段の多心光コネクタ２７につなぎ替えてゆく。
それ以外は、上記図３の場合と同じである。
【０００８】
【発明が解決しようとする課題】
▲１▼１番目から最終番目の出力側光ファイバ１４まで、順次入力側光ファイバ１２を移動させて接続するのに応じて、  出力側光ファイバ１４に対する光パワーメータ２２の接続も、順次切り換えなければならない。
そのため、手間がかかる。
▲２▼測定の自動化が困難である。
【０００９】
【課題を解決するための手段】
本発明では、入力側光ファイバ１２が移動して、複数の出力側光ファイバ１４の中の所定の出力側光ファイバ１４と突き合わせ接続することにより、光路を切り換えるタイプの供試光スイッチ１０の、接続損失を測定するに際し、前記入力側光ファイバ１２を光源２０に接続し、また当該入力側光ファイバ１２と接続している出力側光ファイバ１４を光パワーメータ２２に接続して、光パワーを測定し、当該光パワーと供試光スイッチを接続していないときの光パワーである基準光パワーとの関係から、接続損失を測定する、光スイッチの接続損失測定方法において、前記供試光スイッチ１０の他に、当該供試光スイッチ１０と同方式で、かつ予め、接続損失のデータが測定してあるマスター光スイッチ３０を用意し、前記供試光スイッチ１０の出力側光ファイバ１４を、多心光コネクタであるＭＴ形光コネクタを複数用いて、前記マスター光スイッチ３０の出力側光ファイバ３４の、予め対応させた心線番号のものに多心一括接続し、前記供試光スイッチ１０の入力側光ファイバ１２を光源２０に接続し、前記マスター光スイッチ３０の入力側光ファイバ３２を光パワーメータ２２に接続し、前記供試光スイッチ１０の入力側光ファイバ１２を所定の出力側光ファイバ１４の１本ずつに切り換え接続するに際し、前記マスター光スイッチ３０の入力側光ファイバ３２を、予め対応させた心線番号の出力側光ファイバ３４の１本ずつのそれぞれに順次同時にに切り換え接続して、光パワーを測定することを特徴とする、光スイッチの接続損失測定方法を提供する。
また、前記光源が２種類であり、前記供試光スイッチは、２種類の光源に対応して設けられた、２本の入力側光ファイバ１２、１３を具備し、前記マスター光スイッチは、前記供試光スイッチと同じく２本設けられた入力側３２、３３を、それぞれ光パワーメータ２２に接続しておき、前記供試光スイッチ１０のいずれか１本の入力側光ファイバ１２を所定の出力側光ファイバ１４に切り換え接続するに際し、前記マスター光スイッチ３０の入力側光ファイバ３２を、予め対応させた心線番号の出力側光ファイバ３４に切り換え接続して、光パワーを測定する、接続損失測定を、供試光スイッチの２本の入力側光ファイバ１２、１３を２種類の光源に切り換え接続して、計４種の組み合わせについて行うことを特徴とする、請求項１記載の光スイッチの接続損失測定方法を提供する。
この発明は、図１に例示するように、
・前記供試光スイッチ１０の他に、これと同方法で、かつ予め、上記方法により、接続損失のデータが測定してあるマスター光スイッチ３０を用意し、
・供試光スイッチ１０の出力側光ファイバ１４を、マスター光スイッチ３０の出力側光ファイバ３４の、予め対応させた、例えば同じ心線番号のものに接続し、
・供試光スイッチ１０の入力側光ファイバ１２を、光源２０に接続し、マスター光スイッチ３０の入力側光ファイバ３２を、光パワーメータ２２に接続し、
・供試光スイッチ１０の入力側光ファイバ１２を所定の出力側光ファイバ１４に切り換え接続するに際し、マスター光スイッチ３０の入力側光ファイバ３２を、予め対応させた、例えば同じ心線番号の出力側光ファイバ３４の１本ずつのそれぞれに順次同時に切り換え接続して、光パワーを測定し、
・この測定値から接続損失を求めること、を特徴とする。
【００１０】
この場合、光パワーメータ２２で測定する光パワーから求められる接続損失は、供試光スイッチ１０とマスター光スイッチ３０の接続損失の和である。
これから、マスター光スイッチ３０の損失（既知）を引いたものが、供試光スイッチ１０の接続損失となる。
【００１１】
【発明の実施の形態】
［図１の場合］
1x800スイッチの場合の例である。
供試光スイッチ１０は、図４の場合同様に、多心光コネクタ２７を有する。
例えば8本の１４が１個の多心コネクタに成端される。用いられる光コネクタはＭＴ形光コネクタ（ＪＩＳ  Ｃ５９８１の多心光ファイバコネクタ）である。各コネクタは、光スイッチから導出する光テープの先端に取り付けられ、光スイッチ側面から多数のテープが布線され、その先端に多数の光コネクタが設けられた外観を呈する。
【００１２】
マスター光スイッチ３０は、供試光スイッチ１０と同構造、同仕様の1x800スイッチが好適に用いられ、上記のように、スイッチ接続部分の接続損失のデータが既知である。
このマスター光スイッチ３０も、同種の多心光コネクタ３７を有し、同様な外観を呈する。
【００１３】
多心光コネクタ２７，３７により、供試光スイッチ１０とマスター光スイッチ３０を接続する。このとき、同じ心線番号の出力側光ファイバ１４と３４同士を接続すると、測定結果の整理が容易になる。
すなわち、これら光コネクタの接続は、位置決めスリーブを内蔵したＭＰＯアダプタの如き位置決めアダプタ内にて行われ、ＭＴ光コネクタの心線番号順と光テープ線番、各位置決めアダプタの番号とを予め整理して接続することにより、コネクタ接続作業が整然と実施でき、データの照合整理が効果的となる。
【００１４】
供試光スイッチ１０の入力側光ファイバ１２を、光源２０（ＬＤ，ＬＥＤ）に接続し、マスター光スイッチ３０の入力側光ファイバ３２を、光パワーメータ２２に接続する。
３８はコントローラ（パソコン）である。これで、供試光スイッチ１０とマスター光スイッチ３０が、予め対応させた心線番号の光ファイバ、例えば同じ心線番号の光ファイバに、例えば同時に切り替わるように制御する。また、光パワーメータ２２の検出する光パワーに基づいて、供試光スイッチ１０の光ファイバ先端部分の接続損失を計算し、かつその結果を保存する。
供試光スイッチ１０及びマスター光スイッチ３０とコントローラ３８間を制御線４０（電線）で、またコントローラ３８と光パワーメータ２２間は制御線４２（電線）で、それぞれ接続する。
【００１５】
接続損失測定は、次のように行う。
初め、供試光スイッチ１０の入力側光ファイバ１２、及びマスター光スイッチ３０の入力側光ファイバ３２を、両方とも、一番端の出力側光ファイバ１４，３４（心線番号▲１▼）と接続状態にする。
そうしておいて、光パワーメータ２２により光パワー測定を開始する。
測定結果を、コントローラ３８に送る。コントローラ３８で、接続損失を計算する。上記のように、これにはマスター光スイッチ３０の接続損失も含まれるので、それを差し引いたものが供試光スイッチ１０の接続損失となる。
この結果は、コントローラ３８に保存される。
【００１６】
次ぎに、コントローラ３８の働きにより、供試光スイッチ１０の入力側光ファイバ１２、及びマスター光スイッチ３０の入力側光ファイバ３２を、同時に、心線番号▲２▼の出力側光ファイバ１４，３４に切り換え接続する。
そうしておいて、上記同様に、供試光スイッチ１０の接続損失を求め、結果をコントローラ３８に保存する。
【００１７】
以下同様にして、供試光スイッチ１０の入力側光ファイバ１２及びマスター光スイッチ３０の入力側光ファイバ３２を、全部の出力側光ファイバ１４，３４と切り換え接続し、そのときの、供試光スイッチ１０の接続損失を求め、結果をコントローラ３８に保存する。
【００１８】
［図２の場合］
2x800スイッチの場合で、かつ２種類の光源により測定する場合である。
供試光スイッチ１０は、入力側光ファイバ１２と１３を有する。これらは連動する。
この場合に用いるマスター光スイッチ３０も、供試光スイッチ１０と同構造、同仕様の、2x800スイッチで、入力側光ファイバ３２と３３を有し、これらも連動する。
光源２０は、波長1.31μmの光源２０１と、波長1.55μmの光源２０２とからなる。
【００１９】
例えば、供試スイッチ１０の入力側光ファイバ１２を光源２０１に接続し、入力側光ファイバ１３を光源２０２に接続する。
マスタースイッチ３０の入力側光ファイバ３２と３３は、共に光パワーメータ２２に接続する。
その他は、図１の場合と同じである。
【００２０】
損失測定は、次のように行う。
▲１▼はじめ、供試スイッチ１０の入力側光ファイバ１２のみ、光源２０１と接続状態にする（入力側光ファイバ１３は遊びとなる）。図２は、この状態を示す。
そして、1.31μmの波長で、上記図１の場合同様に、一番目から最終番目の出力側光ファイバ１４、３４まで、順次、光路を切り換えて、接続損失を測定する。
【００２１】
▲２▼次に、供試スイッチ１０の入力側光ファイバ１３のみ、光源２０２と接続の状態にする（入力側光ファイバ１２は遊びとなる）。
そして、1.55μmの波長で、接続損失を同様に測定する。
【００２２】
▲３▼次に、供試スイッチ１０の入力側光ファイバ１２を、光源２０２につなぎ替え、1.55μmの波長で、同様に接続損失を測定する。
【００２３】
▲４▼最後に、供試スイッチ１０の入力側光ファイバ１３を、光源２０１につなぎ替え、1.31μmの波長で、同様に接続損失を測定する。以上で終わる。
【００２４】
なお、接続損失には、誤接続等により目的の光ファイバが接続されなかった場合、あるいは、光ファイバの突き合わせ部分以外の損失も含まれる。
【００２５】
【発明の効果】
▲１▼スイッチ切り換えに伴う、出力側光ファイバ１４と光パワーメータ２２との接続替えの手間が、不要になる。
▲２▼接続損失測定の自動化が可能になる。
【図面の簡単な説明】
【図１】この発明の一実施形態の説明図。
【図２】この発明の他の実施形態の説明図。
【図３】従来の1x2光スイッチの接続損失測定の説明図。
【図４】従来の、出力側光ファイバ１４の非常に多い光スイッチの接続損失測定の説明図。
【符号の説明】
１０  供試光スイッチ
１２，１３  入力側光ファイバ
１４  出力側光ファイバ
２０，２０１，２０２  光源
２２  光パワーメータ
２４  測定用光ファイバ
２５  測定用光ファイバテープ
２６  光コネクタ
２７  多心光コネクタ
３０  マスター光スイッチ
３２，３３  入力側光ファイバ
３４  出力側光ファイバ
３７  多心光コネクタ
３８  コントローラ
４０，４２  制御線
【図１】
0003961086.tif 000002
【図２】
0003961086.tif 000003
【図３】
0003961086.tif 000004
【図４】
0003961086.tif 000005